(57)【要約】【課題】通信の分野に応用される、パワーヘッドルームレポートを報告するための方法およびユーザ機器(UE)を提供する。【解決手段】方法は、第1のパワーヘッドルームレポートの報告をトリガし、第1のパワーヘッドルームレポートを満足する送信条件を決定するステップであって、第1のパワーヘッドルームレポートの送信条件は、現在の送信時間間隔にアップリンクデータチャネルの送信が存在すると判定することを含む、ステップと、第1のパワーヘッドルームレポートを取得するステップであって、第1のパワーヘッドルームレポートは第1のパワーヘッドルーム値を含み、第1のパワーヘッドルーム値は、キャリアの最大送信電力から、キャリアの制御チャネルの送信電力およびキャリアのデータチャネルの送信電力の和を引いて得られる差を含む、ステップと、第1のパワーヘッドルームレポートを送信するステップとを含む。【選択図】図１
2014233084.tif 000002
【特許請求の範囲】
【請求項１】
第1のパワーヘッドルームレポートの報告をトリガし、前記第1のパワーヘッドルームレポートを送信する条件が満たされていると判定するステップであって、前記第1のパワーヘッドルームレポートを送信する前記条件は、アップリンクデータチャネルの送信が現在の送信時間間隔で起こると判定することを含む、ステップと、
前記第1のパワーヘッドルームレポートを取得するステップであって、前記第1のパワーヘッドルームレポートは第1のパワーヘッドルーム値を含み、前記第1のパワーヘッドルーム値は、キャリアの最大送信電力と、前記キャリアの制御チャネルの送信電力および前記キャリアのデータチャネルの送信電力の和との間の差を含む、ステップと、
前記第1のパワーヘッドルームレポートを送信するステップと
を含み、
前記第1のパワーヘッドルームレポートを送信する前記ステップは、
前記第1のパワーヘッドルームレポートと前記キャリアの前記データチャネルのパワーヘッドルームレポートとを前記現在の送信時間間隔で送信するように多重化エンティティに指示するステップを含み、
前記第1のパワーヘッドルームレポートと前記キャリアの前記データチャネルの前記パワーヘッドルームレポートとを前記現在の送信時間間隔で送信するように多重化エンティティに指示する前記ステップは、
同じ媒体アクセス層制御要素MAC CEを用いて前記第1のパワーヘッドルームレポートと前記キャリアの物理アップリンク共有チャネルPUSCHのパワーヘッドルームレポートとを前記現在の送信時間間隔で送信するように多重化エンティティに指示するステップを含む、パワーヘッドルームレポートを報告するための方法。
【請求項２】
前記第1のパワーヘッドルームレポートを送信する前記条件は、以下の条件、すなわち、
少なくとも1つの第1のパワーヘッドルームレポートが前記現在の送信時間間隔でトリガされると判定することと、
制御情報が前記現在の送信時間間隔において前記制御チャネルで送信されると判定することと
のうちの少なくとも1つをさらに含む請求項1に記載の方法。
【請求項３】
前記第1のパワーヘッドルームレポートを取得する前記ステップは、
前記キャリアの前記制御チャネルの送信フォーマットを決定し、前記送信フォーマットにしたがって前記制御チャネルの前記送信電力を計算するステップと、
前記データチャネルの前記送信電力を取得するステップと、
前記キャリアの前記最大送信電力と、前記制御チャネルの前記送信電力および前記データチャネルの前記送信電力の前記和との間の前記差を前記第1のパワーヘッドルーム値として使用し、前記第1のパワーヘッドルーム値を前記第1のパワーヘッドルームレポートに保持するステップと
を含む請求項1または2に記載の方法。
【請求項４】
前記第1のパワーヘッドルームレポートを送信する前記ステップの後に、
トリガされた前記第1のパワーヘッドルームレポートを取り消すステップをさらに含む請求項1から3のいずれかに記載の方法。
【請求項５】
前記第1のパワーヘッドルームレポートの報告をトリガする前記ステップは、
前記キャリアの前記データチャネルのパワーヘッドルームレポートがトリガされるときに前記第1のパワーヘッドルームレポートの報告をトリガするステップと、
基地局によって送信された無線リソース制御RRCシグナリングが受信されるときに前記第1のパワーヘッドルームレポートの報告をトリガするステップと、
ユーザ機器のデフォルト設定が前記第1のパワーヘッドルームレポートを報告することであるときに、前記ユーザ機器の前記デフォルト設定にしたがって前記第1のパワーヘッドルームレポートの報告をトリガするステップと、
前記第1のパワーヘッドルームレポートの報告をトリガするために使用される設定された周期的なタイマが満了するときに前記第1のパワーヘッドルームレポートの報告をトリガするステップと、
設定されたレポート禁止タイマのタイミング期間中に前記第1のパワーヘッドルームレポートの報告を禁止するために使用される前記レポート禁止タイマが満了し、前記キャリアの測定された経路損失の変化が設定された第1の閾値を超えたときに、前記第1のパワーヘッドルームレポートの報告をトリガするステップと、
前記制御チャネルで現在送信されているチャネル品質インジケータCQI、肯定応答ACK、および否定応答NACKのうちの少なくとも1つのデータ量が設定された第2の閾値を超えたときに前記第1のパワーヘッドルームレポートの報告をトリガするステップと、
前記第1のパワーヘッドルームレポートを送信するためのフォーマットが設定されたフォーマットであると判定されたときに前記第1のパワーヘッドルームレポートの報告をトリガするステップと、
前記制御チャネルで現在送信されているACK、NACK、および周期的なCQIのうちの1つの数が設定された第3の閾値を超えたときに前記第1のパワーヘッドルームレポートの報告をトリガするステップと、
前記制御チャネルで現在送信されているACKに対応するキャリアの数、前記制御チャネルで現在送信されているNACKに対応するキャリアの数、および前記制御チャネルで現在送信されている周期的なCQIに対応するキャリアの数のうちの1つが設定された第4の閾値を超えたときに前記第1のパワーヘッドルームレポートの報告をトリガするステップと
のうちの少なくとも1つを含む請求項1から4のいずれかに記載の方法。
【請求項６】
第1のパワーヘッドルームレポートの報告をトリガし、前記第1のパワーヘッドルームレポートを送信する条件が満たされていると判定するように構成されたトリガおよび判定モジュールであって、前記第1のパワーヘッドルームレポートを送信する前記条件は、アップリンクデータチャネルの送信が現在の送信時間間隔で起こると判定することを含む、トリガおよび判定モジュールと、
前記トリガおよび判定モジュールが、前記第1のパワーヘッドルームレポートの報告をトリガし、前記第1のパワーヘッドルームレポートを送信する前記条件が満たされていると判定したときに前記第1のパワーヘッドルームレポートを取得するように構成された取得モジュールであって、前記第1のパワーヘッドルームレポートは第1のパワーヘッドルーム値を含み、前記第1のパワーヘッドルーム値は、キャリアの最大送信電力と、前記キャリアの制御チャネルの送信電力および前記キャリアのデータチャネルの送信電力の和との間の差を含む、取得モジュールと、
前記取得モジュールによって取得された前記第1のパワーヘッドルームレポートを送信するように構成された送信モジュールと
を含み、
前記取得モジュールは、前記キャリアの前記データチャネルのパワーヘッドルームレポートを取得するようにさらに構成され、
前記送信モジュールは、前記取得モジュールによって取得される前記第1のパワーヘッドルームレポートと前記キャリアの前記データチャネルの前記パワーヘッドルームレポートとを前記現在の送信時間間隔で送信するように多重化エンティティに指示するようにさらに構成され、
前記送信モジュールは、同じ媒体アクセス層制御要素MAC CEを用いて前記第1のパワーヘッドルームレポートと前記キャリアの物理アップリンク共有チャネルPUSCHのパワーヘッドルームレポートとを前記現在の送信時間間隔で送信するように多重化エンティティに指示するようにさらに構成される、ユーザ機器。
【請求項７】
前記トリガおよび判定モジュールは、以下のユニット、すなわち、
前記キャリアの前記データチャネルのパワーヘッドルームレポートがトリガされるときに前記第1のパワーヘッドルームレポートの報告をトリガするように構成された第1のユニットと、
基地局によって送信された無線リソース制御RRCシグナリングが受信されるときに前記第1のパワーヘッドルームレポートの報告をトリガするように構成された第2のユニットと、
前記ユーザ機器のデフォルト設定が前記第1のパワーヘッドルームレポートを報告することであるときに、前記ユーザ機器の前記デフォルト設定にしたがって前記第1のパワーヘッドルームレポートの報告をトリガするように構成された第3のユニットと、
前記第1のパワーヘッドルームレポートの報告をトリガするために使用される設定された周期的なタイマが満了するときに前記第1のパワーヘッドルームレポートの報告をトリガするように構成された第4のユニットと、
設定されたレポート禁止タイマのタイミング期間中に前記第1のパワーヘッドルームレポートの報告を禁止するために使用される前記レポート禁止タイマが満了し、前記キャリアの測定された経路損失の変化が設定された第1の閾値を超えたときに、前記第1のパワーヘッドルームレポートの報告をトリガするように構成された第5のユニットと、
前記制御チャネルで現在送信されているチャネル品質インジケータCQI、肯定応答ACK、および否定応答NACKのうちの少なくとも1つのデータ量が設定された第2の閾値を超えたときに前記第1のパワーヘッドルームレポートの報告をトリガするように構成された第6のユニットと、
前記第1のパワーヘッドルームレポートを送信するためのフォーマットが設定されたフォーマットであると判定されたときに前記第1のパワーヘッドルームレポートの報告をトリガするように構成された第7のユニットと、
前記制御チャネルで現在送信されているACK、NACK、および周期的なCQIのうちの1つの数が設定された第3の閾値を超えたときに前記第1のパワーヘッドルームレポートの報告をトリガするように構成された第8のユニットと、
前記制御チャネルで現在送信されているACKに対応するキャリアの数、前記制御チャネルで現在送信されているNACKに対応するキャリアの数、および前記制御チャネルで現在送信されている周期的なCQIに対応するキャリアの数のうちの1つが設定された第4の閾値を超えたときに前記第1のパワーヘッドルームレポートの報告をトリガするように構成された第9のユニットと
のうちの少なくとも1つを含む請求項6に記載のユーザ機器。
【請求項８】
前記トリガおよび判定モジュールは、前記第1のパワーヘッドルームレポートを送信する前記条件が満たされていると判定するようにさらに構成され、
前記第1のパワーヘッドルームレポートを送信する前記条件は、
少なくとも1つの第1のパワーヘッドルームレポートが前記現在の送信時間間隔でトリガされたと判定することと、
制御情報が前記現在の送信時間間隔において前記制御チャネルで送信されると判定することと
のうちの少なくとも1つをさらに含む請求項6または7に記載のユーザ機器。
【請求項９】
前記取得モジュールは、
前記キャリアの前記制御チャネルの送信フォーマットを決定し、前記送信フォーマットにしたがって前記制御チャネルの前記送信電力を計算するように構成された決定ユニットと、
前記データチャネルの前記送信電力を取得するように構成された取得ユニットと、
前記キャリアの前記最大送信電力と、前記制御チャネルの前記送信電力および前記データチャネルの前記送信電力の前記和との間の前記差を前記第1のパワーヘッドルーム値として使用し、前記第1のパワーヘッドルーム値を前記第1のパワーヘッドルームレポートに保持するように構成された計算および保持ユニットと
を含む請求項6から8のいずれかに記載のユーザ機器。
【請求項１０】
前記送信モジュールが前記第1のパワーヘッドルームレポートを送信した後に、トリガされた前記第1のパワーヘッドルームレポートを取り消すように前記送信モジュールによってトリガされるように構成された取り消しモジュールをさらに含む請求項6から9のいずれかに記載のユーザ機器。
【請求項１１】
請求項1から5のいずれかに記載の方法をコンピュータに実行させるプログラムを記録するコンピュータ可読ストレージ媒体。
【発明の詳細な説明】
【技術分野】
【０００１】
本出願は、特願2013-515678号の分割出願である。特願2013-515678号は、2010年6月22日に中国専利局に出願した、「METHOD FOR REPORTING POWER HEADROOM REPORT AND USER EQUIPMENT」と題された中国特許出願第201010210820.5号の優先権を主張するものであり、この特許出願は、その全体が参照により本明細書に組み込まれる。
【０００２】
本発明は、通信技術に関し、特に、電力制御技術に関する。
【背景技術】
【０００３】
LTE-Advance (Long Term Evolution-Advanced、拡張ロングタームエボリューション)ネットワークは、製造業者が盛んに研究している通信ネットワークであり、時間遅延を小さくし、ユーザデータ転送速度を上げ、システムの容量およびカバレッジを改善することができる低コストのネットワークを提供することを目的とするLTEネットワークの発展型である。
【０００４】
例えば、LTE技術においては、データチャネルのデータおよび制御チャネルのデータは、同じサブフレームで送信することができない。例えば、PUSCH (Physical Uplink Shared Channel、物理アップリンク共有チャネル)のデータおよびPUCCH (Physical Uplink Control Channel、物理アップリンク制御チャネル)のデータは、同じサブフレームで送信することができない。ユーザ機器は、PUSCHのパワーヘッドルームレポートを基地局に報告する。基地局がユーザ機器からサブフレームで送信されたパワーヘッドルームレポートを受信したとき、基地局は、パワーヘッドルームレポートに含まれるパワーヘッドルーム値によって、ユーザ機器がPUSCHでデータを送信するときのユーザ機器のパワーヘッドルームを得ることができる。続く無線リソースのスケジューリング中に、基地局は、端末のために余分なリソースがスケジューリングされることを防ぎ、さらに、ユーザ機器がPUSCHでデータを送信するときにユーザ機器が電力が制限された状態に入ることを防ぐために、参考としてパワーヘッドルーム値を必要とする。
【０００５】
LTE-A技術の支援の下では、PUCCHのデータおよびPUSCHのデータは、同じサブフレームで送信され得る。ユーザ機器がそのような送信方法を使用するとき、基地局が無線リソースのスケジューリングのために従来技術のパワーヘッドルームレポート内のパワーヘッドルーム値を参照する場合、ユーザ機器は、電力が制限された状態に入る可能性がある。
【先行技術文献】
【特許文献】
【０００６】
【特許文献１】特表２００８−５３７４４８号公報
【特許文献２】特開２００９−３０３２１３号公報
【非特許文献】
【０００７】
【非特許文献１】"PH reporting for Carrier Aggregation"，3GPP TSG RAN WG1 Meeting #61 R1-103066，２０１０年  ５月１４日，ＵＲＬ，http://www.3gpp.org/ftp/tsg_ran/WG1_RL1/TSGR1_61/Docs/R1-103066.zip
【非特許文献２】"Considerations on uplink power control in LTE-Advanced"，3GPP TSG RAN WG1 meeting #59bis R1-100071，２０１０年  １月１８日，ＵＲＬ，http://www.3gpp.org/ftp/tsg_ran/WG1_RL1/TSGR1_59b/Docs/R1-100071.zip
【発明の概要】
【発明が解決しようとする課題】
【０００８】
本発明の実施形態は、基地局がユーザ機器のパワーヘッドルームレポートを取得し、パワーヘッドルームに正確にしたがって無線リソースのスケジューリングを実行することを可能にし、それによって、基地局がリソースのスケジューリング中に参考となる正確なパワーヘッドルームを持たないという従来技術の問題を解決するパワーヘッドルームレポートを報告するための方法と、パワーヘッドルームレポートの報告をトリガするための方法と、ユーザ機器とを提供する。
【課題を解決するための手段】
【０００９】
本発明の実施形態は、パワーヘッドルームレポートを報告するための方法を提供し、方法は、
第1のパワーヘッドルームレポートの報告をトリガし、第1のパワーヘッドルームレポートを送信する条件が満たされていると判定するステップであって、第1のパワーヘッドルームレポートを送信する条件は、アップリンクデータチャネルの送信が現在の送信時間間隔で起こると判定することを含む、ステップと、
第1のパワーヘッドルームレポートを取得するステップであって、第1のパワーヘッドルームレポートは第1のパワーヘッドルーム値を含み、第1のパワーヘッドルーム値は、キャリアの最大送信電力と、キャリアの制御チャネルの送信電力およびキャリアのデータチャネルの送信電力の和との差を含む、ステップと、
第1のパワーヘッドルームレポートを送信するステップとを含む。
【００１０】
本発明の実施形態は、パワーヘッドルームレポートの報告をトリガするための方法を提供し、方法は、
第1の条件が満たされていると判定するステップと、
第1のパワーヘッドルームレポートの報告をトリガするステップであって、第1のパワーヘッドルームレポートは、キャリアの最大送信電力と、キャリアの制御チャネルの送信電力およびキャリアのデータチャネルの送信電力の和との差を含む、ステップとを含み、
第1の条件は、
キャリアのデータチャネルのパワーヘッドルームレポートがトリガされること、
基地局によって送信された無線リソース制御RRCシグナリングが受信されること、
ユーザ機器のデフォルト設定が、第1のパワーヘッドルームレポートを報告することであること、
第1のパワーヘッドルームレポートの報告をトリガするために使用される設定された周期的なタイマが満了すること、
設定されたレポート禁止タイマのタイミング期間中に第1のパワーヘッドルームレポートの報告を禁止するために使用されるレポート禁止タイマが満了し、キャリアの測定された経路損失の変化が設定された第1の閾値を超えること、
制御チャネルで現在送信されているCQI、ACK、およびNACKのうちの少なくとも1つのデータ量が、設定された第2の閾値を超えること、
第1のパワーヘッドルームレポートを送信するためのフォーマットが設定されたフォーマットであると判定されること、
制御チャネルで現在送信されているACK、NACK、および周期的なCQIのうちの1つの数が、設定された第3の閾値を超えること、
制御チャネルで現在送信されているACKに対応するキャリアの数、制御チャネルで現在送信されているNACKに対応するキャリアの数、および制御チャネルで現在送信されている周期的なCQIに対応するキャリアの数のうちの1つが、設定された第4の閾値を超えることのうちの少なくとも1つを含む。
【００１１】
本発明の実施形態は、
第1のパワーヘッドルームレポートの報告をトリガし、第1のパワーヘッドルームレポートを送信する条件が満たされていると判定するように構成されたトリガおよび判定モジュールであって、第1のパワーヘッドルームレポートを送信する条件は、アップリンクデータチャネルの送信が現在の送信時間間隔で起こると判定することを含む、トリガおよび判定モジュールと、
トリガおよび判定モジュールが、第1のパワーヘッドルームレポートの報告をトリガし、第1のパワーヘッドルームレポートを送信する条件が満たされていると判定したときに第1のパワーヘッドルームレポートを取得するように構成された取得モジュールであって、第1のパワーヘッドルームレポートは第1のパワーヘッドルーム値を含み、第1のパワーヘッドルーム値は、キャリアの最大送信電力と、キャリアの制御チャネルの送信電力およびキャリアのデータチャネルの送信電力の和との差を含む、取得モジュールと、
取得モジュールによって取得された第1のパワーヘッドルームレポートを送信するように構成された送信モジュールとを含むユーザ機器を提供する。
【００１２】
本発明の実施形態は、
第1の条件が満たされていると判定するように構成された第3の判定モジュールと、
第3の判定モジュールが第1の条件が満たされていると判定したときに第1のパワーヘッドルームレポートの報告をトリガするように構成されたトリガモジュールであって、第1のパワーヘッドルームレポートは、キャリアの最大送信電力と、キャリアの制御チャネルの送信電力およびキャリアのデータチャネルの送信電力の和との差を含む、トリガモジュールとを含み、
第1の条件は、
キャリアのデータチャネルのパワーヘッドルームレポートがトリガされること、
基地局によって送信された無線リソース制御RRCシグナリングが受信されること、
ユーザ機器のデフォルト設定が、第1のパワーヘッドルームレポートを報告することであること、
第1のパワーヘッドルームレポートの報告をトリガするために使用される設定された周期的なタイマが満了すること、
設定されたレポート禁止タイマのタイミング期間中に第1のパワーヘッドルームレポートの報告を禁止するために使用されるレポート禁止タイマが満了し、キャリアの測定された経路損失の変化が設定された第1の閾値を超えること、
制御チャネルで現在送信されているCQI、ACK、およびNACKのうちの少なくとも1つのデータ量が、設定された第2の閾値を超えること、
第1のパワーヘッドルームレポートを送信するためのフォーマットが設定されたフォーマットであると判定されること、
制御チャネルで現在送信されているACK、NACK、および周期的なCQIのうちの1つの数が、設定された第3の閾値を超えること、
制御チャネルで現在送信されているACKに対応するキャリアの数、制御チャネルで現在送信されているNACKに対応するキャリアの数、および制御チャネルで現在送信されている周期的なCQIに対応するキャリアの数のうちの1つが、設定された第4の閾値を超えることのうちの少なくとも1つを含む、別のユーザ機器をさらに提供する。
【００１３】
本発明の実施形態によるパワーヘッドルームレポートを報告するための方法によって、PUCCHのデータおよびPUSCHのデータが同時に同じサブフレームで送信されるとき、基地局は、PUCCHのユーザ機器の送信電力を考慮するパワーヘッドルームレポートを取得することができ、基地局は、ユーザ機器のパワーヘッドルームレポートを取得し、そのパワーヘッドルームレポートに正確にしたがってリソースのスケジューリングを実行することができる。
【図面の簡単な説明】
【００１４】
【図１】本発明の一実施形態によるパワーヘッドルームレポートを報告するための方法の流れ図ある。
【図２】本発明の一実施形態によるパワーヘッドルームレポートを報告するための別の方法の流れ図ある。
【図３】本発明の一実施形態によるパワーヘッドルームレポートの報告をトリガするための方法の流れ図ある。
【図４】本発明の一実施形態によるユーザ機器の概略的な構造図である。
【図５ａ】本発明の一実施形態による別のユーザ機器の概略的な構造図である。
【図５ｂ】本発明の一実施形態によるさらに別のユーザ機器の概略的な構造図である。
【図６】本発明の一実施形態によるさらに別のユーザ機器の概略的な構造図である。
【発明を実施するための形態】
【００１５】
本発明の目的、技術的な解決策、および利点をより明瞭にするために、本発明の実施形態が、添付の図面を参照して以下で詳細に説明される。
【００１６】
ユーザ機器がパワーヘッドルームレポートを報告するための方法が、以下で詳細に説明される。
【００１７】
キャリアのPUCCHがキャリアの制御チャネルとして使用され、キャリアのPUSCHがキャリアのデータチャネルとして使用される以下の実施形態は、本発明を限定するように意図されていないことに留意されたい。
【００１８】
本発明の一実施形態によるパワーヘッドルームレポートを報告するための方法が、図1を参照して以下で詳細に説明される。図1に示されるように、方法は、以下のステップを含む。
【００１９】
ステップ101: 第1のパワーヘッドルームレポートの報告をトリガし、第1のパワーヘッドルームレポートを送信する条件が満たされていると判定し、第1のパワーヘッドルームレポートを送信する条件は、アップリンクデータチャネルの送信が現在の送信時間間隔で起こると判定することを含む。
【００２０】
ステップ102: 第1のパワーヘッドルームレポートを取得し、第1のパワーヘッドルームレポートは第1のパワーヘッドルーム値を含み、第1のパワーヘッドルーム値は、キャリアの最大送信電力と、キャリアの制御チャネルの送信電力およびキャリアのデータチャネルの送信電力の和との差を含む。
【００２１】
ステップ103: 第1のパワーヘッドルームレポートを送信する。
【００２２】
本発明の実施形態によるパワーヘッドルームレポートを報告するための方法によって、PUCCHのデータおよびPUSCHのデータが同時に同じサブフレームで送信されるとき、基地局は、PUCCHのユーザ機器の送信電力を考慮するパワーヘッドルームレポートを取得することができ、基地局は、ユーザ機器のパワーヘッドルームレポートを取得し、そのパワーヘッドルームレポートに正確にしたがってリソースのスケジューリングを実行することができる。
【００２３】
本発明の一実施形態によるパワーヘッドルームレポートを報告するための方法が、図2を参照して以下で説明される。図2に示されるように、方法は、以下のステップを含む。
【００２４】
ステップ201: 第1のパワーヘッドルームレポートの報告をトリガし、第1のパワーヘッドルームレポートを送信する条件が満たされていると判定し、第1のパワーヘッドルームレポートを送信する条件は、アップリンクデータチャネルの送信が現在の送信時間間隔で起こると判定することを含む。
【００２５】
第1のパワーヘッドルームレポートの報告は、以下の方法、すなわち、
キャリアのPUSCHのパワーヘッドルームレポートがトリガされるときに第1のパワーヘッドルームレポートの報告をトリガすること、
基地局によって送信された無線リソース制御RRCシグナリングが受信されるときに第1のパワーヘッドルームレポートの報告をトリガすることであって、RRCシグナリングは、RRCコネクション再構成要求メッセージ(RRC connection reconfiguration request message)である可能性がある、トリガすること、
ユーザ機器のデフォルト設定が第1のパワーヘッドルームレポートを報告することであるときに、ユーザ機器のデフォルト設定にしたがって第1のパワーヘッドルームレポートの報告をトリガすること、
第1のパワーヘッドルームレポートの報告をトリガするために使用される設定された周期的なタイマが満了するときに第1のパワーヘッドルームレポートの報告をトリガすること、
設定されたレポート禁止タイマのタイミング期間中に第1のパワーヘッドルームレポートの報告を禁止するために使用されるレポート禁止タイマが満了し、キャリアの測定された経路損失の変化が設定された第1の閾値を超えたときに、第1のパワーヘッドルームレポートの報告をトリガすること、
PUCCHで現在送信されているCQI (Channel Quality Indicator、チャネル品質インジケータ)、ACK肯定応答、およびNACK否定応答のうちの少なくとも1つのデータ量が設定された第2の閾値を超えたときに第1のパワーヘッドルームレポートの報告をトリガすることであって、具体的には、PUCCHで現在送信されているPUCCHの情報で運ばれるCQIのデータ量に関して統計を収集することができ、運ばれるCQIのデータ量が設定された第2の閾値を超えたときに第1のパワーヘッドルームレポートの報告がトリガされ、上記の方法にしたがって第1のパワーヘッドルームレポートの報告をトリガするために、ACKのデータ量またはNACKのデータ量に関して統計を収集することもでき、上記の方法にしたがって第1のパワーヘッドルームレポートの報告をトリガするために、CQI、ACK、およびNACKのうちの少なくとも1つのデータ量に関してさらに統計を収集することができる、トリガすること、
第1のパワーヘッドルームレポートを送信するためのフォーマットが設定されたフォーマットであると判定されたときに第1のパワーヘッドルームレポートの報告をトリガすることであって、具体的には、第1のパワーヘッドルームレポートのフォーマットがフォーマット1であると判定されたときに第1のパワーヘッドルームレポートの報告をトリガすることができ、任意選択で、第1のパワーヘッドルームレポートのフォーマットがフォーマット1a、1b、2、2a、もしくは2b、またはフォーマット1、1a、もしくは1bであると判定されたときに第1のパワーヘッドルームレポートの報告をトリガすることができる、トリガすること、
PUCCHで現在送信されているACK、NACK、および周期的なCQIのうちの1つの数が設定された第3の閾値を超えたときに第1のパワーヘッドルームレポートの報告をトリガすることであって、具体的には、PUCCHで現在送信されている周期的なCQIの数、PUCCHで現在送信されているACKの数、もしくはPUCCHで現在送信されているNACKの数に関して、またはACK、NACK、および周期的なCQIのうちの少なくとも1つの数に関して統計を収集することができ、統計の結果が設定された第3の閾値を超えたときに第1のパワーヘッドルームレポートの報告がトリガされる、トリガすること、
PUCCHで現在送信されているACKに対応するキャリアの数、PUCCHで現在送信されているNACKに対応するキャリアの数、およびPUCCHで現在送信されている周期的なCQIに対応するキャリアの数のうちの1つが設定された第4の閾値を超えたときに第1のパワーヘッドルームレポートの報告をトリガすることであって、具体的には、PUCCHで現在送信されている周期的なCQIに対応するキャリアの数、PUCCHで現在送信されているACKに対応するキャリアの数、またはPUCCHで現在送信されているNACKに対応するキャリアの数に関して統計を収集することができ、統計の結果が設定された第4の閾値を超えたときに第1のパワーヘッドルームレポートの報告がトリガされる、トリガすることのうちの少なくとも1つでトリガされ得る。
【００２６】
第1のパワーヘッドルームレポートを送信する条件が満たされていると判定するステップは、
少なくとも1つの第1のパワーヘッドルームレポートが現在の送信時間間隔でトリガされたと判定し、第1のパワーヘッドルームレポートを送信すると決定するステップ、および制御情報が現在の送信時間間隔においてPUCCHで送信されると判定し、第1のパワーヘッドルームレポートを送信すると決定するステップのうちの少なくとも1つをさらに含む。
【００２７】
任意選択で、キャリアがアクティブ化されるか、構成されるか、またはリセットされてからデータチャネルおよび/または制御チャネルで初めてデータが送信されるときに、トリガイベントが初期化され、例えば、周期的なトリガタイマが始動または再始動される。
【００２８】
ステップ202: 報告される必要がある第1のパワーヘッドルームレポートを取得し、第1のパワーヘッドルームレポートは第1のパワーヘッドルーム値を含み、第1のパワーヘッドルーム値は、キャリアの最大送信電力と、キャリアの制御チャネルの送信電力およびキャリアのデータチャネルの送信電力の和との差を含む。データがPUCCHで現在送信されていない場合、キャリアのPUCCHの送信フォーマットを決定することができ、その送信フォーマットにしたがってPUCCHの送信電力が計算される。PUSCHの送信電力が取得される。キャリアの最大送信電力と、PUCCHの送信電力およびPUSCHの送信電力の和との差が、第1のパワーヘッドルームの差として使用され、この第1のパワーヘッドルームの差が、第1のパワーヘッドルームレポートに保持される。
【００２９】
報告される必要がある第1のパワーヘッドルームレポートは、以下の方法で取得することもできる。
【００３０】
物理層が第1のパワーヘッドルーム値を直接計算し、第1のパワーヘッドルーム値は、キャリアの最大送信電力と、キャリアの物理アップリンク制御チャネルPUCCHの送信電力およびキャリアの物理アップリンク共有チャネルPUSCHの送信電力の和との差である可能性がある。MAC (Medium Access layer、媒体アクセス層)層が、物理層から第1のパワーヘッドルーム値を直接取得し、その第1のパワーヘッドルーム値を第1のパワーヘッドルームレポートに保持することができる。
【００３１】
または、MAC層が第1のパワーヘッドルーム値を予め記憶する場合、予め記憶された値を取得し、第1のパワーヘッドルーム値として使用することができる。その第1のパワーヘッドルーム値が、第1のパワーヘッドルームレポートに保持される。
【００３２】
または、MAC層が、物理層からPUSCHのパワーヘッドルーム値と、PUCCHの送信電力値とを取得することができる。MAC層は、PUSCHのパワーヘッドルーム値からPUCCHの送信電力値を引いて第1のパワーヘッドルーム値を取得し、その第1のパワーヘッドルーム値を第1のパワーヘッドルームレポートに保持する。
【００３３】
任意選択で、取得された第1のパワーヘッドルーム値は、第1のパワーヘッドルーム値と第1のパワーヘッドルームのインデックスとのマッピングテーブルにしたがって、レポートされる必要がある第1のパワーヘッドルームのインデックス値にマッピングすることができ、第1のパワーヘッドルームのインデックス値はパワーヘッドルームレベル(power headroom level)と呼ばれることもあり、第1のパワーヘッドルームのインデックス値は第1のパワーヘッドルームレポートに保持される。
【００３４】
第1のパワーヘッドルームレポートの報告がトリガされる間にキャリアのデータチャネルのパワーヘッドルームレポートの報告もトリガされる場合、MAC層が、物理層から第1のパワーヘッドルーム値と、キャリアのデータチャネルのパワーヘッドルーム値とを取得することができ、第1のパワーヘッドルーム値は、キャリアの最大送信電力と、キャリアの制御チャネルの送信電力およびキャリアのデータチャネルの送信電力の和との差を含む。
【００３５】
ステップ203: 第1のパワーヘッドルームレポートを送信する。
【００３６】
実施方法で、第1のパワーヘッドルームレポートを送信するステップの前に、方法は、
キャリアのデータチャネルのパワーヘッドルームレポートの報告がトリガされると判定するステップと、
プロトコルで設定されたネットワークの構成または規則にしたがって、第1のパワーヘッドルームレポートとキャリアのデータチャネルのパワーヘッドルームレポートとが現在の送信時間間隔で送信されること、および現在のアップリンクのリソースのサイズが、第1のパワーヘッドルームレポートとキャリアのデータチャネルのパワーヘッドルームレポートとが現在の送信間隔で送信されることを保証することができると判定するステップとをさらに含む。
【００３７】
ステップ202と、第1のパワーヘッドルームレポートを送信するステップの前に実行されるそれらのステップとの順序は厳密に定義されないことに留意されたい。具体的には、報告される必要がある第1のパワーヘッドルームレポートは、プロトコルで設定されたネットワークの構成または規則にしたがって、第1のパワーヘッドルームレポートとキャリアのデータチャネルのパワーヘッドルームレポートとが現在の送信時間間隔で送信されること、および現在のアップリンクのリソースのサイズが、第1のパワーヘッドルームレポートとキャリアのデータチャネルのパワーヘッドルームレポートとが現在の送信間隔で送信されることを保証することができると判定するステップの前に取得され得る。あるいは、プロトコルで設定されたネットワークの構成または規則にしたがって、第1のパワーヘッドルームレポートとキャリアのデータチャネルのパワーヘッドルームレポートとが現在の送信時間間隔で送信されること、および現在のアップリンクのリソースのサイズが、第1のパワーヘッドルームレポートとキャリアのデータチャネルのパワーヘッドルームレポートとが現在の送信間隔で送信されることを保証することができると判定するステップは、報告される必要がある第1のパワーヘッドルームレポートを取得するステップの前に実行され得る。
【００３８】
したがって、第1のパワーヘッドルームレポートを送信するステップは、
現在の送信時間間隔、すなわち、TTI (Transmission Time Interval、送信時間間隔)で第1のパワーヘッドルームレポートとキャリアのデータチャネルのパワーヘッドルームレポートとを送信するように多重化エンティティ(multiplexing entity)に指示するステップであって、具体的には、同じMAC CE (Medium Access layer control element、媒体アクセス層制御要素)または異なるMAC CEを用いて第1のパワーヘッドルームレポートとキャリアのPUSCHのパワーヘッドルームレポートとを送信するように、多重化エンティティに指示することができ、第1のパワーヘッドルームレポートとキャリアのデータチャネルのパワーヘッドルームレポートとが現在の送信間隔で送信されること、および現在のアップリンクのリソースのサイズが、第1のパワーヘッドルームレポートとキャリアのデータチャネルのパワーヘッドルームレポートとが現在の送信間隔で送信されることを可能にしないと判定された場合、第1のパワーヘッドルームレポートを送信するプロセスが停止される、ステップを含む。
【００３９】
別の実施方法では、第1のパワーヘッドルームレポートを送信するように多重化エンティティに指示するステップの前に、方法は、
キャリアのデータチャネルのパワーヘッドルームレポートの報告がトリガされると判定するステップと、
プロトコルで設定されたネットワークの構成または規則にしたがって、現在のアップリンクのリソースのサイズが、第1のパワーヘッドルームレポートとキャリアのデータチャネルのパワーヘッドルームレポートとが現在の送信時間間隔で送信されることを可能にしないと判定し、次に、第1のパワーヘッドルームレポートおよびキャリアのデータチャネルのパワーヘッドルームレポートのうちでより高い送信の優先度を有する方を判定するステップであって、具体的には、第1のパワーヘッドルームレポートの送信の優先度がキャリアのデータチャネルのパワーヘッドルームレポートの送信の優先度よりも高い可能性があるか、またはキャリアのデータチャネルのパワーヘッドルームレポートの送信の優先度が第1のパワーヘッドルームレポートの送信の優先度よりも高い可能性がある、判定するステップとをさらに含み得る。
【００４０】
したがって、第1のパワーヘッドルームレポートを送信するステップは、
第1のパワーヘッドルームレポートおよびキャリアのデータチャネルのパワーヘッドルームレポートのうちでより高い送信の優先度を有する方を現在の送信時間間隔で送信するように多重化エンティティに指示するステップであって、より高い送信の優先度を有するパワーヘッドルームレポートは第1のパワーヘッドルームレポートまたはキャリアのデータチャネルのパワーヘッドルームレポートである可能性があり、現在のアップリンクのリソースのサイズにしたがって、より高い送信の優先度を有する第1のパワーヘッドルームレポートまたはより高い送信の優先度を有するキャリアのPUSCHのパワーヘッドルームレポートを現在の送信時間間隔で送信することができないと判定された場合、第1のパワーヘッドルームレポートを送信するプロセスが停止される、指示するステップを含む。
【００４１】
ステップ202と、第1のパワーヘッドルームレポートを送信するステップの前に実行されるそれらのステップとの順序は厳密に定義されないことに留意されたい。具体的には、報告される必要がある第1のパワーヘッドルームレポートは、プロトコルで設定されたネットワークの構成または規則にしたがって、現在のアップリンクのリソースのサイズが、第1のパワーヘッドルームレポートとキャリアのデータチャネルのパワーヘッドルームレポートとが現在の送信時間間隔で送信されることを可能にしないと判定し、次に、第1のパワーヘッドルームレポートおよびキャリアのデータチャネルのパワーヘッドルームレポートのうちでより高い送信の優先度を有する方を判定するステップの前に取得され得る。あるいは、プロトコルで設定されたネットワークの構成または規則にしたがって、現在のアップリンクのリソースのサイズが、第1のパワーヘッドルームレポートとキャリアのデータチャネルのパワーヘッドルームレポートとが現在の送信時間間隔で送信されることを可能にしないと判定し、次に、第1のパワーヘッドルームレポートおよびキャリアのデータチャネルのパワーヘッドルームレポートのうちでより高い送信の優先度を有する方を判定するステップが、報告される必要がある第1のパワーヘッドルームレポートを取得するステップの前に実行され得る。
【００４２】
ステップ204: 任意選択で、第1のパワーヘッドルームレポートが送信される場合、第1のパワーヘッドルームレポートをトリガする条件を初期化する。
【００４３】
第1のパワーヘッドルームレポートをトリガする条件を初期化するステップは、
第1のパワーヘッドルームレポートの報告をトリガするための条件がキャリアのPUSCHのパワーヘッドルームレポートがトリガされることである場合、PUSCHのパワーヘッドルームレポートをトリガする条件を初期化するステップを含み得る。
【００４４】
第1のパワーヘッドルームレポートをトリガする条件を初期化するステップは、さらに、第1のパワーヘッドルームレポートの報告をトリガするために使用される設定された周期的なタイマを初期化するステップ、および/または設定されたレポート禁止タイマのタイミング期間中に第1のパワーヘッドルームレポートの報告を禁止するために使用されるレポート禁止タイマを初期化するステップである可能性がある。
【００４５】
ステップ205: 任意選択で、第1のパワーヘッドルームレポートを送信するステップの後で、方法は、トリガされた第1のパワーヘッドルームレポートを取り消すステップをさらに含む。
【００４６】
本発明の実施形態によるパワーヘッドルームレポートを報告するための方法によって、PUCCHのデータおよびPUSCHのデータが同時に同じサブフレームで送信されるとき、基地局は、PUCCHのユーザ機器の送信電力を考慮するパワーヘッドルームレポートを取得することができ、基地局は、ユーザ機器のパワーヘッドルームレポートを取得し、そのパワーヘッドルームレポートに正確にしたがってリソースのスケジューリングを実行することができる。
【００４７】
本発明の一実施形態によるパワーヘッドルームレポートの報告をトリガするための方法が、図3を参照して以下で詳細に説明される。図3に示されるように、方法は、以下のステップを含む。
【００４８】
ステップ301: 第1の条件が満たされていると判定する。
【００４９】
第1の条件は、
キャリアのPUSCHのパワーヘッドルームレポートがトリガされること、
ユーザ機器が、基地局によって送信された無線リソース制御RRCシグナリングを受信すること、
ユーザ機器のデフォルト設定が、第1のパワーヘッドルームレポートを報告することであること、
設定された周期的なタイマが満了すること、
設定されたレポート禁止タイマが満了し、キャリアの測定された経路損失の変化が設定された第1の閾値を超えること、
PUCCHで現在送信されているCQI、ACK、およびNACKのうちの少なくとも1つのデータ量が設定された第2の閾値を超えることであって、具体的には、PUCCHで現在送信されているPUCCHの情報で運ばれるCQIのデータ量に関して統計を収集することができ、運ばれるCQIのデータ量が設定された第2の閾値を超えたときに第1のパワーヘッドルームレポートの報告がトリガされ、上記の方法にしたがって第1のパワーヘッドルームレポートの報告をトリガするために、ACKのデータ量またはNACKのデータ量に関して統計を収集することもでき、上記の方法にしたがって第1のパワーヘッドルームレポートの報告をトリガするために、CQI、ACK、およびNACKのうちの少なくとも1つのデータ量に関してさらに統計を収集することができる、第2の閾値を超えること、
第1のパワーヘッドルームレポートを送信するためのフォーマットが設定されたフォーマットであると判定されることであって、具体的には、第1のパワーヘッドルームレポートのフォーマットがフォーマット1であると判定されたときに第1のパワーヘッドルームレポートの報告をトリガすることができ、任意選択で、第1のパワーヘッドルームレポートのフォーマットがフォーマット1a、1b、2、2a、もしくは2b、またはフォーマット1、1a、もしくは1bであると判定されたときに第1のパワーヘッドルームレポートの報告をトリガすることができる、判定されること、
PUCCHで現在送信されているACK、NACK、および周期的なCQIのうちの1つの数が設定された第3の閾値を超えることであって、具体的には、PUCCHで現在送信されている周期的なCQIの数、PUCCHで現在送信されているACKの数、もしくはPUCCHで現在送信されているNACKの数に関して、またはACK、NACK、および周期的なCQIのうちの少なくとも1つの数に関して統計を収集することができ、統計の結果が設定された第3の閾値を超えたときに第1のパワーヘッドルームレポートの報告がトリガされる、第3の閾値を超えること、
PUCCHで現在送信されているACKに対応するキャリアの数、PUCCHで現在送信されているNACKに対応するキャリアの数、およびPUCCHで現在送信されている周期的なCQIに対応するキャリアの数のうちの1つが設定された第4の閾値を超えることであって、具体的には、PUCCHで現在送信されている周期的なCQIに対応するキャリアの数、PUCCHで現在送信されているACKに対応するキャリアの数、またはPUCCHで現在送信されているNACKに対応するキャリアの数に関して統計を収集することができ、統計の結果が設定された第4の閾値を超えたときに第1のパワーヘッドルームレポートの報告がトリガされる、第4の閾値を超えることのうちの少なくとも1つを含む。
【００５０】
ステップ302: 第1のパワーヘッドルームレポートの報告をトリガし、第1のパワーヘッドルームレポートは、キャリアの最大送信電力と、キャリアの物理アップリンク制御チャネルPUCCHの送信電力およびキャリアの物理アップリンク共有チャネルPUSCHの送信電力の和との差を含む。
【００５１】
本発明の実施形態によるパワーヘッドルームレポートの報告をトリガするための方法においては、PUCCHの送信電力を考慮する第1のパワーヘッドルームレポートによって、ユーザ機器が第1のパワーヘッドルームレポートを送信するための方法が改善される。第1のパワーヘッドルームレポートをトリガするための複数の方法が提供され、多様性および適合性を向上させる。
【００５２】
本発明の一実施形態によるユーザ機器が、図4を参照して以下で詳細に説明される。図4に示されるように、ユーザ機器は、
第1のパワーヘッドルームレポートの報告をトリガし、第1のパワーヘッドルームレポートを送信する条件が満たされていると判定するように構成されたトリガおよび判定モジュール401であって、第1のパワーヘッドルームレポートを送信する条件は、アップリンクデータチャネルの送信が現在の送信時間間隔で起こると判定することを含む、トリガおよび判定モジュール401と、
トリガおよび判定モジュール401が、第1のパワーヘッドルームレポートの報告をトリガし、第1のパワーヘッドルームレポートを送信する条件が満たされていると判定したときに第1のパワーヘッドルームレポートを取得するようにトリガされるように構成された取得モジュール402であって、第1のパワーヘッドルームレポートは第1のパワーヘッドルーム値を含み、第1のパワーヘッドルーム値は、キャリアの最大送信電力と、キャリアの制御チャネルの送信電力およびキャリアのデータチャネルの送信電力の和との差を含む、取得モジュール402と、
取得モジュール402によって取得された第1のパワーヘッドルームレポートを送信するように構成された送信モジュール403とを含む。
【００５３】
本発明の実施形態によるパワーヘッドルームレポートを報告するための方法によって、PUCCHのデータおよびPUSCHのデータが同時に同じサブフレームで送信されるとき、基地局は、PUCCHのユーザ機器の送信電力を考慮するパワーヘッドルームレポートを取得することができ、基地局は、ユーザ機器のパワーヘッドルームレポートを取得し、そのパワーヘッドルームレポートに正確にしたがってリソースのスケジューリングを実行することができる。
【００５４】
本発明の一実施形態による別のユーザ機器が、図5aを参照して以下で詳細に説明される。図5aに示されるように、ユーザ機器は、図4に示された実施形態のトリガおよび判定モジュール401と、取得モジュール402と、送信モジュール403とを含み、トリガおよび判定モジュール401は、以下のユニット、すなわち、
キャリアのデータチャネルのパワーヘッドルームレポートがトリガされるときに第1のパワーヘッドルームレポートの報告をトリガするように構成された第1のユニットと、
基地局によって送信された無線リソース制御RRCシグナリングが受信されるときに第1のパワーヘッドルームレポートの報告をトリガするように構成された第2のユニットであって、RRCシグナリングは、RRCコネクション再構成要求メッセージである可能性がある、第2のユニットと、
ユーザ機器のデフォルト設定が第1のパワーヘッドルームレポートを報告することであるときに、ユーザ機器のデフォルト設定にしたがって第1のパワーヘッドルームレポートの報告をトリガするように構成された第3のユニットと、
第1のパワーヘッドルームレポートの報告をトリガするために使用される設定された周期的なタイマが満了するときに第1のパワーヘッドルームレポートの報告をトリガするように構成された第4のユニットと、
設定されたレポート禁止タイマのタイミング期間中に第1のパワーヘッドルームレポートの報告を禁止するために使用されるレポート禁止タイマが満了し、キャリアの測定された経路損失の変化が設定された第1の閾値を超えたときに、第1のパワーヘッドルームレポートの報告をトリガするように構成された第5のユニットと、
制御チャネルで現在送信されているCQI、ACK、およびNACKのうちの少なくとも1つのデータ量が設定された第2の閾値を超えたときに第1のパワーヘッドルームレポートの報告をトリガするように構成された第6のユニットであって、具体的には、PUCCHで現在送信されているPUCCHの情報で運ばれるCQIのデータ量に関して統計を収集することができ、運ばれるCQIのデータ量が設定された第2の閾値を超えたときに第1のパワーヘッドルームレポートの報告がトリガされ、上記の方法にしたがって第1のパワーヘッドルームレポートの報告をトリガするために、ACKのデータ量またはNACKのデータ量に関して統計を収集することもでき、上記の方法にしたがって第1のパワーヘッドルームレポートの報告をトリガするために、CQI、ACK、およびNACKのうちの少なくとも1つのデータ量に関してさらに統計を収集することができる、第6のユニットと、
第1のパワーヘッドルームレポートを送信するためのフォーマットが設定されたフォーマットであると判定されたときに第1のパワーヘッドルームレポートの報告をトリガするように構成された第7のユニットであって、具体的には、第1のパワーヘッドルームレポートのフォーマットがフォーマット1であると判定されたときに第1のパワーヘッドルームレポートの報告をトリガすることができ、任意選択で、第1のパワーヘッドルームレポートのフォーマットがフォーマット1a、1b、2、2a、もしくは2b、またはフォーマット1、1a、もしくは1bであると判定されたときに第1のパワーヘッドルームレポートの報告をトリガすることができる、第7のユニットと、
制御チャネルで現在送信されているACK、NACK、および周期的なCQIのうちの1つの数が設定された第3の閾値を超えたときに第1のパワーヘッドルームレポートの報告をトリガするように構成された第8のユニットであって、具体的には、PUCCHで現在送信されている周期的なCQIの数、PUCCHで現在送信されているACKの数、もしくはPUCCHで現在送信されているNACKの数に関して、またはACK、NACK、および周期的なCQIのうちの少なくとも1つの数に関して統計を収集することができ、統計の結果が設定された第3の閾値を超えたときに第1のパワーヘッドルームレポートの報告がトリガされる、第8のユニットと、
制御チャネルで現在送信されているACKに対応するキャリアの数、制御チャネルで現在送信されているNACKに対応するキャリアの数、および制御チャネルで現在送信されている周期的なCQIに対応するキャリアの数のうちの1つが設定された第4の閾値を超えたときに第1のパワーヘッドルームレポートの報告をトリガするように構成された第9のユニットであって、具体的には、PUCCHで現在送信されている周期的なCQIに対応するキャリアの数、PUCCHで現在送信されているACKに対応するキャリアの数、またはPUCCHで現在送信されているNACKに対応するキャリアの数に関して統計を収集することができ、統計の結果が設定された第4の閾値を超えたときに第1のパワーヘッドルームレポートの報告がトリガされる、第9のユニットとのうちの少なくとも1つを含む。
【００５５】
トリガおよび判定モジュール401は、第1のパワーヘッドルームレポートを送信する条件が満たされていると判定するようにさらに構成され、第1のパワーヘッドルームレポートを送信する条件は、
少なくとも1つの第1のパワーヘッドルームレポートが現在の送信時間間隔でトリガされたと判定すること、
制御情報が現在の送信時間間隔において制御チャネルで送信されると判定することのうちの少なくとも1つをさらに含む。
【００５６】
取得モジュール402は、
キャリアの制御チャネルの送信フォーマットを決定し、その送信フォーマットにしたがって制御チャネルの送信電力を計算するように構成された決定ユニット5021と、
データチャネルの送信電力を取得するように構成された取得ユニット5022と、
キャリアの最大送信電力と、制御チャネルの送信電力およびデータチャネルの送信電力の和との差を第1のパワーヘッドルーム値として使用し、その第1のパワーヘッドルーム値を第1のパワーヘッドルームレポートに保持するように構成された計算および保持ユニット5023とを含み得る。
【００５７】
任意選択で、取得された第1のパワーヘッドルーム値が、第1のパワーヘッドルーム値と第1のパワーヘッドルームのインデックスとのマッピングテーブルにしたがって、レポートされる必要がある第1のパワーヘッドルームのインデックス値にマッピングすることができ、第1のパワーヘッドルームのインデックス値はパワーヘッドルームレベルと呼ばれることもあり、第1のパワーヘッドルームのインデックス値は第1のパワーヘッドルームレポートに保持される。
【００５８】
一実施形態において、トリガおよび判定モジュール401と、取得モジュール402と、送信モジュール403とに基づいて、ユーザ機器は、
キャリアのデータチャネルのパワーヘッドルームレポートの報告がトリガされると判定するように構成されたトリガ判定モジュール504と、
トリガおよび判定モジュール401によってトリガされた第1のパワーヘッドルームレポート、ならびにトリガ判定モジュール504によってトリガされたキャリアのデータチャネルのパワーヘッドルームレポートが、現在の送信時間間隔で送信されること、現在のアップリンクのリソースのサイズが、第1のパワーヘッドルームレポートおよびキャリアのデータチャネルのパワーヘッドルームレポートが現在の送信時間間隔で送信されることを保証することができることを判定するように構成された第1の判定モジュール505とをさらに含み得る。
【００５９】
それに応じて、取得モジュール402は、キャリアのデータチャネルのパワーヘッドルームレポートを取得するようにさらに構成され、
送信モジュール403は、取得モジュール402によって取得される第1のパワーヘッドルームレポートとキャリアのデータチャネルのパワーヘッドルームレポートとを現在の送信時間間隔で送信するように多重化エンティティに指示するように明確に構成され、同じMAC CE (Medium Access layer control element、媒体アクセス層制御要素)または異なるMAC CEを用いて第1のパワーヘッドルームレポートとキャリアのPUSCHのパワーヘッドルームレポートとを送信するように、多重化エンティティに指示することができ、第1のパワーヘッドルームレポートとキャリアのデータチャネルのパワーヘッドルームレポートとが現在の送信間隔で送信されること、および現在のアップリンクのリソースのサイズが、第1のパワーヘッドルームレポートとキャリアのデータチャネルのパワーヘッドルームレポートとが現在の送信間隔で送信されることを可能にしないと判定された場合、第1のパワーヘッドルームレポートを送信するプロセスが停止される。
【００６０】
一実施形態においては、図5bに示されるように、トリガおよび判定モジュール401と、取得モジュール402と、送信モジュール403とに基づいて、ユーザ機器は、
キャリアのデータチャネルのパワーヘッドルームレポートの報告がトリガされると判定するように構成された第2のトリガ判定モジュール507と、
現在のアップリンクのリソースのサイズが、トリガおよび判定モジュール401によってトリガされた第1のパワーヘッドルームレポートと、第2のトリガ判定モジュール507によってトリガされたキャリアのデータチャネルのパワーヘッドルームレポートとが現在の送信時間間隔で送信されることを可能にしないと判定し、第1のパワーヘッドルームレポートおよびキャリアのデータチャネルのパワーヘッドルームレポートのうちでより高い送信の優先度を有する方を判定するように構成された第2の判定モジュール508とをさらに含み得る。
【００６１】
それに応じて、取得モジュール402は、第1のパワーヘッドルームレポートおよびキャリアのデータチャネルのパワーヘッドルームレポートのうちでより高い送信の優先度を有する方を取得するようにさらに構成される。
【００６２】
第1のパワーヘッドルームレポートがより高い送信の優先度を有するとき、取得モジュール402は、
キャリアの制御チャネルの送信フォーマットを決定し、その送信フォーマットにしたがって制御チャネルの送信電力を計算するように構成された決定ユニット5021と、
データチャネルの送信電力を取得するように構成された取得ユニット5022と、
キャリアの最大送信電力と、制御チャネルの送信電力およびデータチャネルの送信電力の和との差を第1のパワーヘッドルーム値として使用し、その第1のパワーヘッドルーム値を第1のパワーヘッドルームレポートに保持するように構成された計算および保持ユニット5023とを含み得る。
【００６３】
任意選択で、取得された第1のパワーヘッドルーム値を、第1のパワーヘッドルーム値と第1のパワーヘッドルームのインデックスとのマッピングテーブルにしたがって、レポートされる必要がある第1のパワーヘッドルームのインデックス値にマッピングすることができ、第1のパワーヘッドルームのインデックス値はパワーヘッドルームレベルと呼ばれることもあり、第1のパワーヘッドルームのインデックス値は第1のパワーヘッドルームレポートに保持される。
【００６４】
送信モジュール403は、取得モジュール402によって取得された、第1のパワーヘッドルームレポートおよびキャリアのデータチャネルのパワーヘッドルームレポートのうちでより高い送信の優先度を有する方を現在の送信時間間隔で送信するように多重化エンティティに指示するように明確に構成され、より高い送信の優先度を有するパワーヘッドルームレポートは第1のパワーヘッドルームレポートまたはキャリアのデータチャネルのパワーヘッドルームレポートである可能性があり、現在のアップリンクのリソースのサイズにしたがって、より高い送信の優先度を有する第1のパワーヘッドルームレポートまたはより高い送信の優先度を有するキャリアのPUSCHのパワーヘッドルームレポートを現在の送信時間間隔で送信することができないと判定された場合、第1のパワーヘッドルームレポートを送信するプロセスが停止される。
【００６５】
本発明の実施形態によるユーザ機器および別のユーザ機器によって、PUCCHのデータおよびPUSCHのデータが同時に同じサブフレームで送信されるとき、基地局は、PUCCHのユーザ機器の送信電力を考慮するパワーヘッドルームレポートを取得することができ、基地局は、ユーザ機器のパワーヘッドルームレポートを取得し、そのパワーヘッドルームレポートに正確にしたがってリソースのスケジューリングを実行することができる。
【００６６】
本発明の一実施形態によるさらに別のユーザ機器が、図6を参照して以下で詳細に説明される。図6に示されるように、
ユーザ機器は、
第1の条件が満たされていると判定するように構成された第3の判定モジュール601と、
第3の判定モジュールが第1の条件が満たされていると判定したときに第1のパワーヘッドルームレポートの報告をトリガするように構成されたトリガモジュール602であって、第1のパワーヘッドルームレポートは、キャリアの最大送信電力と、キャリアの制御チャネルの送信電力およびキャリアのデータチャネルの送信電力の和との差を含む、トリガモジュール602とを含む。
【００６７】
第1の条件は、
キャリアのデータチャネルのパワーヘッドルームレポートがトリガされること、
基地局によって送信された無線リソース制御RRCシグナリングが受信されることであって、RRCシグナリングはRRCコネクション再構成要求メッセージである可能性がある、受信されること、
ユーザ機器のデフォルト設定が、第1のパワーヘッドルームレポートを報告することであること、
第1のパワーヘッドルームレポートの報告をトリガするために使用される設定された周期的なタイマが満了すること、
設定されたレポート禁止タイマのタイミング期間中に第1のパワーヘッドルームレポートの報告を禁止するために使用されるレポート禁止タイマが満了し、キャリアの測定された経路損失の変化が設定された第1の閾値を超えること、
制御チャネルで現在送信されているCQI、ACK、およびNACKのうちの少なくとも1つのデータ量が設定された第2の閾値を超えることであって、具体的には、PUCCHで現在送信されているPUCCHの情報で運ばれるCQIのデータ量に関して統計を収集することができ、運ばれるCQIのデータ量が設定された第2の閾値を超えたときに第1のパワーヘッドルームレポートの報告がトリガされ、上記の方法にしたがって第1のパワーヘッドルームレポートの報告をトリガするために、ACKのデータ量またはNACKのデータ量に関して統計を収集することもでき、上記の方法にしたがって第1のパワーヘッドルームレポートの報告をトリガするために、CQI、ACK、およびNACKのうちの少なくとも1つのデータ量に関してさらに統計を収集することができる、第2の閾値を超えること、
第1のパワーヘッドルームレポートを送信するためのフォーマットが設定されたフォーマットであると判定されることであって、具体的には、第1のパワーヘッドルームレポートのフォーマットがフォーマット1であると判定されたときに第1のパワーヘッドルームレポートの報告をトリガすることができ、任意選択で、第1のパワーヘッドルームレポートのフォーマットがフォーマット1a、1b、2、2a、もしくは2b、またはフォーマット1、1a、もしくは1bであると判定されたときに第1のパワーヘッドルームレポートの報告をトリガすることができる、判定されること、
制御チャネルで現在送信されているACK、NACK、および周期的なCQIのうちの1つの数が設定された第3の閾値を超えることであって、具体的には、PUCCHで現在送信されている周期的なCQIの数、PUCCHで現在送信されているACKの数、もしくはPUCCHで現在送信されているNACKの数に関して、またはACK、NACK、および周期的なCQIのうちの少なくとも1つの数に関して統計を収集することができ、統計の結果が設定された第3の閾値を超えたときに第1のパワーヘッドルームレポートの報告がトリガされる、第3の閾値を超えること、
制御チャネルで現在送信されているACKに対応するキャリアの数、制御チャネルで現在送信されているNACKに対応するキャリアの数、および制御チャネルで現在送信されている周期的なCQIに対応するキャリアの数のうちの1つが設定された第4の閾値を超えることであって、具体的には、PUCCHで現在送信されている周期的なCQIに対応するキャリアの数、PUCCHで現在送信されているACKに対応するキャリアの数、またはPUCCHで現在送信されているNACKに対応するキャリアの数に関して統計を収集することができ、統計の結果が設定された第4の閾値を超えたときに第1のパワーヘッドルームレポートの報告がトリガされる、第4の閾値を超えることのうちの少なくとも1つを含む。
【００６８】
本発明の実施形態によるさらに別のユーザ機器においては、PUCCHの送信電力を考慮する第1のパワーヘッドルームレポートによって、ユーザ機器が第1のパワーヘッドルームレポートを送信するための方法が改善される。第1のパワーヘッドルームレポートをトリガするための複数の方法が提供され、多様性および適合性を向上させる。
【００６９】
当業者は、本発明の実施形態の装置のモジュールが、機能によって分けられること、実際には、機能モジュールが、特定の構造のために分割されるか、または組み合わされる可能性があることを理解するに違いない。
【００７０】
本発明の上述の実施形態において、表現「受信する」は、その他のユニットから情報を能動的に取得すること、またはその他のユニットによって送信された情報を受け取ること解釈され得る。
【００７１】
本発明の上述の実施形態の連番は、単に説明を目的とするに過ぎず、実施形態の優先順位を示すものではない。
【００７２】
特許請求の範囲で開示された技術的な解決策は、やはり本発明の実施形態の保護範囲に入る。
【００７３】
当業者は、実施形態の上述の方法のステップのすべてまたは一部が、プログラムの命令にしたがってハードウェアによって実施され得ることを理解するに違いない。プログラムは、コンピュータ可読ストレージ媒体に記憶され得る。
【００７４】
上記の内容は、本発明の例示的な実施形態として提供されるに過ぎず、本発明の保護範囲を限定するように意図されていない。本発明の精神および原理の中でなされたあらゆる修正、均等な置き換え、または改善は、本発明の保護範囲に入る。
【符号の説明】
【００７５】
401  トリガおよび判定モジュール
402  取得モジュール
403  送信モジュール
5021  決定ユニット
5022  取得ユニット
5023  計算および保持ユニット
504  トリガ判定モジュール
505  第1の判定モジュール
507  第2のトリガ判定モジュール
508  第2の判定モジュール
601  第3の判定モジュール
602  トリガモジュール
【図１】
2014233084.tif 000003
【図２】
2014233084.tif 000004
【図３】
2014233084.tif 000005
【図４】
2014233084.tif 000006
【図５ａ】
2014233084.tif 000007
【図５ｂ】
2014233084.tif 000008
【図６】
2014233084.tif 000009